【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
データストレージサーバと、サービスプロバイダサーバと、５．０ｍＷ未満のパワーレベルで作動するように構成されたトランシーバを含むゲートウェイとを含むシステムであって、前記ゲートウェイがアプリケーションでプログラムされ、前記サービスプロバイダサーバが前記データストレージサーバと通信し、前記ゲートウェイが前記データストレージサーバと通信し、
前記データストレージサーバが、第１のトークンを生成し、前記サービスプロバイダサーバから記録を受信し、前記サービスプロバイダサーバに第１のトークンを発行し、前記サービスプロバイダサーバから第１のトークンを受信するように構成され、
前記データストレージサーバが、前記ゲートウェイからセンサデータを受信するように構成され、前記ゲートウェイが前記アプリケーションを実行して、センサから、または、複数のセンサから、前記トランシーバを介して前記センサデータを受信し、前記データストレージサーバが、前記ゲートウェイから前記センサデータを受信した後に前記ゲートウェイに第２のトークンを発行するように構成され、前記データストレージサーバがさらに、前記受信したセンサデータを前記データストレージサーバに記憶する、または前記受信したセンサデータを前記サービスプロバイダサーバに記憶するように構成され、
前記第１のトークン及び前記第２のトークンのトークントランザクションが、前記システムに記憶される、
前記システム。
【請求項２】
前記センサデータが、ブロックチェーンシステムを使用して記憶され、
前記第１のトークン及び前記第２のトークンの前記トークントランザクションが、前記ブロックチェーンシステムを使用して記憶され、
前記データストレージサーバ、前記サービスプロバイダサーバ、及び前記ゲートウェイが、前記ブロックチェーンシステムに登録済みのノードである、
請求項１に記載のシステム。
【請求項３】
前記トランシーバが、３．０ｍＷ未満のパワーレベルで作動するように構成される、
先行請求項のいずれかに記載のシステム。
【請求項４】
前記トランシーバが、１．０ｍＷ未満のパワーレベルで作動するように構成される、
先行請求項のいずれかに記載のシステム。
【請求項５】
前記トランシーバが、Ｂｌｕｅｔｏｏｔｈトランシーバである、
先行請求項のいずれかに記載のシステム。
【請求項６】
前記ゲートウェイが、モバイルコンピューティングデバイス、スマートフォン、タブレットコンピュータ、またはラップトップコンピュータである、
先行請求項のいずれかに記載のシステム。
【請求項７】
前記ゲートウェイが、非モバイルデバイスである、
請求項１〜５のいずれかに記載のシステム。
【請求項８】
前記ゲートウェイが、Ｂｌｕｅｔｏｏｔｈメッシュネットワークを使用するように構成される、
先行請求項のいずれかに記載のシステム。
【請求項９】
前記ゲートウェイが、５０ｍＷを上回るパワーレベルで作動するように構成されるさらなるトランシーバを含む、
請求項１〜８のいずれかに記載のシステム。
【請求項１０】
前記ゲートウェイが、前記さらなるトランシーバを使用して前記データストレージサーバと通信するように構成される；または、前記さらなるトランシーバが、セルラトランシーバ、例えば、ＬＰＷＡＮトランシーバである、
請求項９に記載のシステム。
【請求項１１】
前記トランシーバが、センサから前記ゲートウェイまでのアドバタイジング（ビーコン）片方向通信を使用するように構成される、または、前記トランシーバが、メッシュＢｌｕｅｔｏｏｔｈプロトコルを使用するように構成される、
先行請求項のいずれかに記載のシステム。
【請求項１２】
前記システムがセンサを含む、
先行請求項のいずれかに記載のシステム。
【請求項１３】
前記センサが、前記ゲートウェイに接続されていないとき、ビーコンアドバタイジング信号を送信し、
前記ゲートウェイのアプリケーションが、すべての低電力（５．０ｍＷ未満）センサにジオフェンスゾーンを設定するので、前記ゲートウェイがセンサアドバタイジング信号ゾーンに入るたびに、前記ゲートウェイがアプリケーションコードの一部を実行し、
前記コードのこの部分がデータルーティングを担当するので、前記ゲートウェイが前記センサに接続して、前記センサデータをダウンロードし、前記センサデータを（例えば、クラウド内の）宛先に送信する、
請求項１２に記載のシステム。
【請求項１４】
前記トランシーバが、前記ゲートウェイによって信頼されている前記センサと、前記センサによって信頼されている前記ゲートウェイとの間の双方向通信を使用するように構成される、
請求項１２または１３に記載のシステム。
【請求項１５】
前記センサが、前記システムに関連するＩＤを含む、
請求項１２〜１４のいずれかに記載のシステム。
【請求項１６】
（ｉ）前記ゲートウェイが、前記システムの元帳に対して前記ＩＤを確認し、前記システムが前記元帳を含む、または、（ｉｉ）前記ゲートウェイが、前記システムの元帳に対して前記ＩＤを確認し、前記システムが前記元帳を含み、かつ、前記ゲートウェイが、前記ゲートウェイの内部メモリのセキュアキーを確認し、前記ゲートウェイを通して送信されるすべてのデータが、エンドツーエンド暗号化される、
請求項１５に記載のシステム。
【請求項１７】
ユーザが、前記センサに必要なキーを有するまで、前記データを読み取ることができない、または、センサキーが、送信されたデータ量の正確な清算のために使用される、
請求項１２〜１６のいずれかに記載のシステム。
【請求項１８】
（ｉ）複数のＢｌｕｅｔｏｏｔｈセンサが、前記センサデータ宛先へのゲートウェイとして機能する、複数のゲートウェイに接続可能である；または、
（ｉｉ）ユーティリティメータ、駐車センサ、水／ガス漏れ検出器、発砲検出器、大気質センサ、天気センサ、出席カウンタ、非常ボタン、公共輸送機関追跡器、街路照明、交通信号、住宅及びオフィスセキュリティセンサ、アセット追跡器、電気メータ、太陽光／放射線メータ、振動センサのうちの１つまたは複数の中のセンサを含むＢｌｕｅｔｏｏｔｈセンサを含む；または、
（ｉｉｉ）前記システムが、複数のＬＰＷＡＮゲートウェイと、前記複数のＬＰＷＡＮゲートウェイに接続可能な複数のＬＰＷＡＮセンサとを含む；または、
（ｉｖ）特定のセンサを特定のゲートウェイと組み合わせる必要がない；または、
（ｖ）センサデータのストレージが共通元帳内に記録され、透明性のある支払い請求を作成する；または、
（ｖｉ）前記トークンが暗号トークンである；または、
（ｖｉｉ）前記システムが、都市、個々の家庭、及び大企業に相互運用可能で透明性のある接続性を同様に提供する、
先行請求項のいずれかに記載のシステム。
【請求項１９】
複数のゲートウェイを含むシステムであって、
前記複数のゲートウェイが、前記データストレージサーバと通信し、
各ゲートウェイが、５．０ｍＷ未満のパワーレベルで作動するように構成されたトランシーバを含み、
各ゲートウェイがアプリケーションでプログラムされ、
前記データストレージサーバが、前記ゲートウェイからセンサデータを受信するように構成され、
各ゲートウェイが、前記それぞれのアプリケーションを実行して、前記それぞれのトランシーバを介して前記センサデータを受信し、
前記データストレージサーバが、前記ゲートウェイから前記センサデータを受信した後に前記ゲートウェイに第２のトークンを発行するように構成され、
前記データストレージサーバがさらに、前記受信したセンサデータを前記データストレージサーバに記憶する、または前記受信したセンサデータを前記サービスプロバイダサーバに記憶するように構成され、
前記第１のトークン及び前記第２のトークンのトークントランザクションが、前記システムに記憶される、
先行請求項のいずれかに記載のシステム。
【請求項２０】
（ｉ）前記センサデータが、前記ブロックチェーンシステムを使用して記憶され、前記第１のトークン及び前記第２のトークンのトークントランザクションが、前記ブロックチェーンシステムを使用して記憶され、前記ゲートウェイが、前記ブロックチェーンシステムに登録済みのノードである；または、
（ｉｉ）前記複数のゲートウェイには、複数のＬＲゲートウェイ及び複数のＢＬＥゲートウェイが含まれる；または、
（ｉｉｉ）前記ゲートウェイが、前記サービスプロバイダサーバに登録された複数のデバイスから前記センサデータを受信するように設定される、
請求項１９に記載のシステム。
【請求項２１】
複数のサービスプロバイダサーバを含むシステムであって、
前記サービスプロバイダサーバが、前記データストレージサーバと通信し、
前記データストレージサーバが、第１のトークンを生成し、前記サービスプロバイダサーバから記録を受信し、前記サービスプロバイダサーバに第１のトークンを発行し、前記サービスプロバイダサーバから第１のトークンを受信するように構成され、
前記第１のトークンのトークントランザクションが、前記ブロックチェーンシステムを使用して記憶され、
前記サービスプロバイダサーバが、前記ブロックチェーンシステムに登録済みのノードである、
先行請求項のいずれかに記載のシステム。
【請求項２２】
５．０ｍＷ未満のパワーレベルで作動するように構成されたトランシーバを使用して、システムにトランザクション及び取得されたセンサデータを記憶する方法であって、前記システムが、データストレージサーバと、サービスプロバイダサーバと、ゲートウェイとを含み、前記ゲートウェイが、５．０ｍＷ未満のパワーレベルで作動するように構成された前記トランシーバを含み、前記ゲートウェイがアプリケーションでプログラムされ、前記サービスプロバイダサーバが前記データストレージサーバと通信し、前記ゲートウェイが前記データストレージサーバと通信し、
（ｉ）前記データストレージサーバが、第１のトークンを生成するステップと、
（ｉｉ）前記データストレージサーバが、サービスプロバイダサーバから記録を受け取り、サービスプロバイダサーバに第１のトークンを発行し、サービスプロバイダサーバから第１のトークンを受信するステップと、
（ｉｉｉ）前記ゲートウェイが前記アプリケーションを実行して、センサから、または、複数のセンサから、５．０ｍＷ未満のパワーレベルで作動するように構成された前記トランシーバを介してセンサデータを受信するステップと、
（ｉｖ）前記データストレージサーバが、前記ゲートウェイから前記センサデータを受信するステップと、
（ｖ）前記ゲートウェイから前記センサデータを受信した後、前記データストレージサーバが、前記ゲートウェイに第２のトークンを発行するステップと、
（ｖｉ）前記データストレージサーバが、前記受信したセンサデータを前記データストレージサーバに記憶する、または前記受信したセンサデータを前記サービスプロバイダサーバに記憶するステップと、
（ｖｉｉ）前記第１のトークン及び前記第２のトークンのトークントランザクションを前記システムに記憶するステップと
を含む、前記方法。